(57)【要約】【課題】循環用の吸込み空気と換気用の吸込み空気が干渉せず、循環用と換気用それぞれに適切な空気を分配させることができる浴室換気乾燥機を提供することを目的とする。【解決手段】循環吸込口４を本体１の側面に、排気吸込口６を本体１の上面に設けるという構成にしたことにより、本体１の側面周辺にある空気は循環吸込口４から本体１の内部に取り込まれ、本体１が有するヒーターにより暖められ、本体１が有する循環ファンおよびモータにより浴室内に循環送風され、また、本体１の上面周辺にある空気は排気吸込口６から本体１の内部に取り込まれ、浴室の外に設置された換気ユニット２が有する換気ファン及びモータにより、本体１と換気ユニット２を連通するダクト３を通って浴室の外に排気されるので、循環用の吸込み空気と換気用の吸込み空気が干渉せず、循環用と換気用それぞれに適切な空気を分配させることができる浴室換気乾燥機を得られる。【選択図】図１
2013181685.tif 000002
【特許請求の範囲】
【請求項１】
浴室の壁面に背面と接して設置される本体と、前記浴室の外に設置された換気ユニットと、前記本体および前記換気ユニットとを連通するダクトを有し、前記本体に前記浴室内の空気を暖めるヒーターと前記空気を前記浴室内に循環送風する循環ファンおよびモータとを有し、前記換気ユニット内に湿気を含む空気を前記浴室の外に排出する換気ファンおよびモータとを有し、循環吸込口を前記本体の側面に、排気吸込口を前記本体の上面に設けることを特徴とする浴室換気乾燥機。
【請求項２】
本体の下面に、循環吹出口を設けたことを特徴とする請求項１に記載の浴室換気乾燥機。
【請求項３】
循環吸込口にフィルターを設け、前記フィルターの下端を下方向に引っ張ることにより前記フィルターを取り出すことができることを特徴とする請求項２に記載の浴室換気乾燥機。
【発明の詳細な説明】
【技術分野】
【０００１】
本発明は浴室の壁に設置され、浴室内の暖房、乾燥等を行う浴室換気乾燥機に関するものである。
【背景技術】
【０００２】
従来、この種の浴室換気乾燥機は、浴室内の空気を暖めながら循環送風すると同時に、浴室内の一部の空気を浴室外に排気することにより浴室内の乾燥を行うように構成されたものが知られている（例えば、特許文献１参照）。
【０００３】
以下、その浴室換気乾燥機について図４および図５を参照しながら説明する。
【０００４】
図４に示すように、浴室暖房乾燥機１０１は正面に空気吸込口１０２と温風吹出口１０３とを有する。また、図５に示すように、浴室暖房乾燥機１０１の内部の向かって中央部から右側にかけて、熱交換器１０４と温風吹出用ファン１０５、向かって左側に換気用送風機１０６を有する。空気吸込口１０２から吸込んだ浴室内の空気を熱交換器１０４により暖め、温風吹出用ファン１０５により温風吹出口１０３から浴室内に循環送風すると同時に、空気吸込口１０２から吸込んだ浴室内の空気の一部を換気用送風機１０６により浴室外に排気することにより、浴室内の乾燥を行う。
【先行技術文献】
【特許文献】
【０００５】
【特許文献１】特開２０００−２４４６号公報
【発明の概要】
【発明が解決しようとする課題】
【０００６】
このような従来の浴室換気乾燥機においては循環用の吸込み空気と換気用の吸込み空気が干渉し、循環用と換気用それぞれに適切な空気が分配されない場合があった、という課題を有していた。
【０００７】
そこで本発明は、上記従来の課題を解決するものであり、循環用の吸込み空気と換気用の吸込み空気が干渉せず、循環用と換気用それぞれに適切な空気を分配させることができる浴室換気乾燥機を提供することを目的とする。
【課題を解決するための手段】
【０００８】
そして、この目的を達成するために、本発明は、浴室の壁面に背面と接して設置される本体と、前記浴室の外に設置された換気ユニットと、前記本体および前記換気ユニットとを連通するダクトを有し、前記本体に前記浴室内の空気を暖めるヒーターと前記空気を前記浴室内に循環送風する循環ファンおよびモータとを有し、前記換気ユニット内に湿気を含む空気を前記浴室の外に排出する換気ファンおよびモータとを有し、循環吸込口を前記本体の側面に、排気吸込口を前記本体の上面に設けることとしたものであり、これにより所期の目的を達成するものである。
【発明の効果】
【０００９】
本発明によれば、浴室の壁面に背面と接して設置される本体と、前記浴室の外に設置された換気ユニットと、前記本体および前記換気ユニットとを連通するダクトを有し、前記本体に前記浴室内の空気を暖めるヒーターと前記空気を前記浴室内に循環送風する循環ファンおよびモータとを有し、前記換気ユニット内に湿気を含む空気を前記浴室の外に排出する換気ファンおよびモータとを有し、循環吸込口を前記本体の側面に、排気吸込口を前記本体の上面に設ける、という構成にしたことにより、本体の側面周辺にある空気は循環吸込口から前記本体の内部に取り込まれ、前記本体が有するヒーターにより暖められ、前記本体が有する循環ファンおよびモータにより浴室内に循環送風され、また、前記本体の上面周辺にある空気は排気吸込口から前記本体の内部に取り込まれ、前記浴室の外に設置された換気ユニットが有する換気ファン及びモータにより、前記本体と前記換気ユニットを連通するダクトを通って前記浴室の外に排気されることとなるので、循環用の吸込み空気と換気用の吸込み空気が干渉せず、循環用と換気用それぞれに適切な空気を分配させることができる、という効果を得ることができる。
【図面の簡単な説明】
【００１０】
【図１】本発明の実施の形態１の浴室換気乾燥機の全体構成を示す斜視図
【図２】同浴室換気乾燥機の本体の正面の内部を示す図
【図３】同浴室換気乾燥機を浴室壁面に取り付けた状態の断面を示す図
【図４】従来の浴室換気乾燥機の正面を示す図
【図５】同浴室換気乾燥機の内部の構成を示す図
【発明を実施するための形態】
【００１１】
本発明の請求項１記載の浴室換気乾燥機は、浴室の壁面に背面と接して設置される本体と、前記浴室の外に設置された換気ユニットと、前記本体および前記換気ユニットとを連通するダクトを有し、前記本体に前記浴室内の空気を暖めるヒーターと前記空気を前記浴室内に循環送風する循環ファンおよびモータとを有し、前記換気ユニット内に湿気を含む空気を前記浴室の外に排出する換気ファンおよびモータとを有し、循環吸込口を前記本体の側面に、排気吸込口を前記本体の上面に設ける、という構成を有する。これにより、本体の側面周辺にある空気は循環吸込口から前記本体の内部に取り込まれ、前記本体が有するヒーターにより暖められ、前記本体が有する循環ファンおよびモータにより浴室内に循環送風され、また、前記本体の上面周辺にある空気は排気吸込口から前記本体の内部に取り込まれ、前記浴室の外に設置された換気ユニットが有する換気ファン及びモータにより、前記本体と前記換気ユニットを連通するダクトを通って前記浴室の外に排気されることとなるので、循環用の吸込み空気と換気用の吸込み空気が干渉せず、循環用と換気用それぞれに適切な空気を分配させることができる、という効果を奏する。
【００１２】
また、本体の下面に、循環吹出口を設けた、という構成にしてもよい。これにより、本体が有するヒーターにより暖められ、前記本体が有する循環ファンおよびモータにより前記本体の下面の循環吹出口から吹出された温風は、前記本体の下方または前方に吹出されることとなるので、吹出された温風が直ちに吸込まれることを防ぎ、暖房性能の低下を防止することができる、という効果を奏する。
【００１３】
また、循環吸込口にフィルターを設け、前記フィルターの下端を下方向に引っ張ることにより前記フィルターを取り出すことができる、という構成にしてもよい。これにより、本体の側面周辺にある空気は、循環吸込口からフィルターを通過して前記本体の内部に取り込まれ、かつ、前記フィルターは汚れを目視により容易に確認でき、前記フィルターの下端を下方向に引っ張ることにより前記フィルター容易に取出すこととなるので、フィルターを容易に清掃することができる、という効果を奏する。
【００１４】
以下、本発明の実施の形態について図面を参照しながら説明する。
【００１５】
（実施の形態１）
図１は、本発明による浴室換気乾燥機の全体構成を示す斜視図で、図２は図１の浴室換気乾燥機の本体１の正面の内部を示す図、図３は図１の浴室換気乾燥機を浴室壁面に取り付けた状態の断面を表す図である。
【００１６】
図３に示すように、本発明による浴室換気乾燥機は、浴室１６内の壁面１７に背面と接して設置される本体１と、浴室１６の外すなわち屋外１８に設置された換気ユニット２と、本体１および換気ユニット２とを連通するダクト３とから構成される。
【００１７】
図１に示すように、本体１の両側面には循環吸込口４、下面には循環吹出口５、上面には排気吸込口６が設けられている。
【００１８】
また、循環吸込口４にはフィルター７が本体１の内部に設けられており、またフィルター７の下端にはフィルター取っ手８が設けられており、フィルター取っ手８を下方向に引っ張ることによりフィルター７は本体１より容易に取り出すことができる構造である。
【００１９】
図２に示すように、本体１の内部には、中央に循環モータ９（望ましくは直流方式のモータ）、循環モータ９の左右に循環ファン１０（シロッコファン）、循環ファン１０の下方に図３に示す電気ヒーター１１（望ましくはＰＴＣヒータ）を有する。
【００２０】
また、本体１の背面には図２に示す排気用丸穴１２が設置されており、図１に示す排気吸込口６から図２に示す排気用丸穴１２までは図３に示す排気経路１３が設置されている。
【００２１】
また、換気ユニット２の内部には換気ファンすなわち排気ファン１４（シロッコファン）と、排気モータ１５（望ましくは直流方式のモータ）を有する。
【００２２】
そして、運転動作について、最初に暖房運転について説明する。
【００２３】
図３に示す、本体１の側面周辺にある浴室１６内の空気を図１に示す循環吸込口４から本体１の内部に吸込み、循環ファン１０を通過させて電気ヒーター１１に接触させながら暖め、循環吹出口５より浴室１６内に吹出す。
【００２４】
なお、この実施の形態では、循環吹出口は斜め前方に向けた構成としている。理由の１つとしては、浴室１６内に吹き出される温風を浴室１６内にまんべんなくいきわたらせるためである。
【００２５】
これにより、浴室１６内の空気を暖めながら循環送風することで浴室１６内を暖房する。
【００２６】
次に、換気運転について説明する。
【００２７】
本体１の上面周辺にある浴室１６内の汚れた空気または湿気を含む空気を、排気吸込口６より吸込み、順に排気経路１３、排気用丸穴１２、ダクト３を通り、換気ユニット２の排気モータ１５に接続した排気ファン１４により浴室１６外すなわち屋外１８に排気する。
【００２８】
最後に、乾燥運転について説明する。
【００２９】
乾燥運転は、暖房運転と換気運転を同時に行うことにより実現する。
【００３０】
暖房運転により暖められた空気が、浴室１６内の水気を蒸発させる。湿気を含む空気を換気運転により屋外１８に排気することにより乾燥運転を実現する。
【００３１】
上記構成において、循環吸込口４および排気吸込口６が本体１の異なる面にあるため、乾燥運転時に循環吸込口４および排気吸込口６から同時に浴室１６内の空気を吸込む際にも、それぞれの吸込み空気が同一の平面に構成されていないため干渉せず、一方または双方の吸込み量が減少することを防ぎ、適切な量の空気を分配、すなわち、循環用と換気用の空気を適切に分配させることができる。
【００３２】
また、循環吹出口５から浴室１６内に吹出された空気が、直ちに循環吸込口４または排気吸込口６から吸込まれるショートサーキットを防ぐことができる。
【００３３】
また、浴室１６内の埃等が本体１の内部に侵入することを防ぐフィルター７には、浴室換気乾燥機（本体１と換気ユニット２とをあわせての総称）の使用に伴い埃等の汚れが蓄積し、循環用の空気の吸込みに抵抗となり、適切な量の空気を吸込むことができなくなる。
【００３４】
上記構成により、フィルター７は本体１の側面に設ける構成により、循環吸込口４から目視により容易に汚れを確認でき、また、下方向に引っ張ることにより取り外しが容易であるため、容易に清掃することができる。
【産業上の利用可能性】
【００３５】
本発明にかかる浴室換気乾燥機は、循環用の吸込み空気と換気用の吸込み空気干渉せず循環用と換気用それぞれに適切な空気を分配することを可能とするものであるので、浴室や洗面所、トイレ、居室等の壁面に取付けられる空調機器等への機能として有用である。
【符号の説明】
【００３６】
１    本体
２    換気ユニット
３    ダクト
４    循環吸込口
５    循環吹出口
６    排気吸込口
７    フィルター
８    フィルター取っ手
９    循環モータ
１０  循環ファン
１１  電気ヒーター
１２  排気用丸穴
１３  排気経路
１４  排気ファン
１５  排気モータ
１６  浴室
１７  壁面
１８  屋外
【図１】
2013181685.tif 000003
【図２】
2013181685.tif 000004
【図３】
2013181685.tif 000005
【図４】
2013181685.tif 000006
【図５】
2013181685.tif 000007